(57)【要約】【課題】クリスマスロープ電球の提供。【解決手段】一種のクリスマスロープ電球、前部電源プラグ、後部電源ソケット、該前部電源プラグと後部電源ソケットを電気接続するための第１電源コード、第２電源コードは該前部電源プラグと電気接続し、若干数の電球は該第２電源コードと電気接続、変圧器は該前部電源プラグと各電球の間に設け、該第２電源コードと電気接続する。これらの構成要素を組み合わせることにより、該変圧器は前部電源プラグより供給の電圧を降圧した後、該第２電源コードを介して、各電球に供給及び発光させる。一方、該前部電源プラグより供給され降圧されていない電気を該後部電源ソケットに供給し、該後部電源ソケットは外部プラグを挿入し、降圧されていない電気を外部に供給するほか、降圧後の電気を電球に供給する。【選択図】図１
0003131571.tif 000002
【実用新案登録請求の範囲】
【請求項１】
一種のクリスマスロープ電球において、以下の構成要素を備えた、
前部電源プラグ、プラグハウジング及び該プラグハウジングに挿入し、電気を導通する導電端子ユニットを有する、
第１電源コード、その一端は該導電端子ユニットと電気接続する、
後部電源ソケット、ソケットハウジング及び該ソケットハウジングに取り付けて導電する導電受け台を有し、該導電受け台は該第１電源コードの他端と電気接続する、該後部電源ソケットにソケット孔ユニットを設けて、外部のプラグを挿入し、該導電受け台と電気接続する、
第２電源コード、その一端は該導電端子ユニットと電気接続する、
変圧器、該第２電源コードと電気接続する、
若干数の電球、該第２電源コードと電気接続し、該変圧器を該前部電源プラグから離れておき、第２電源コードより導電端子ユニットに供給した電気は該変圧器によって降圧した後、各電球に供給することを特徴とするクリスマスロープ電球。
【請求項２】
該プラグハウジングは絶縁部材を使用し、該導電端子ユニットは若干数の導電端子を使用する、それぞれの一端を該プラグハウジング内部に挿入し、該第１電源コードと電気接続し、他端は該プラグハウジング外部に露出しておき、外部電源と接続することを特徴とする請求項１記載のクリスマスロープ電球。
【請求項３】
該ソケットハウジングは絶縁部材を使用し、該導電受け台は導電部材を使用する、該ソケットハウジングの一端にソケット孔ユニットを設け、外部プラグを挿入し、該導電受け台と電気接続することを特徴とする請求項１記載のクリスマスロープ電球。
【請求項４】
該ソケット孔ユニットに若干数の挿入孔を有することを特徴とする請求項１記載のクリスマスロープ電球。
【請求項５】
該電球は並列方式により接続することを特徴とする請求項１記載のクリスマスロープ電球。
【請求項６】
該電球は直列方式により接続することを特徴とする請求項１記載のクリスマスロープ電球。
【考案の詳細な説明】
【技術分野】
【０００１】
本考案はクリスマスロープ電球、特に一種の長さを適切に延長可能なクリスマスロープ電球に関わるものである。
【背景技術】
【０００２】
クリスマスなどの節句は、クリスマスツリー、建造物またはその他の飾り品にクリスマスロープ電球を飾って、該クリスマスロープ電球より様々な光色を出射し、節句の楽しさを向上する。しかしながら、クリスマスロープ電球に供給する電気は、過大電圧による焼損を防止するため、変圧器によって降圧してから電球に供給しなければならない。
【０００３】
通常、変圧器は１２０又は２４０ボルト（Ｖ）の電圧を２４ボルト（Ｖ）に降圧してからクリスマスロープ電球に電気供給する。しかし、電圧が低いため、クリスマスロープ電球に取り付ける電球の数は制限されるほか、クリスマスロープ電球の長さも制限される。よって、距離のやや長いクリスマスロープ電球を飾るには、複数組のクリスマスロープ電球を複数の独立電源にそれぞれ接続しなければならない。このため、その利便性が悪いほか、利用者に余分な電源装置の購入を強いられ、金銭を浪費する。
【考案の開示】
【考案が解決しようとする課題】
【０００４】
特殊の構造により複数本を接続することにより、その長さの延長を図る、一種のクリスマスロープ電球を提供することを本発明の主な目的である。
【０００５】
前記の目的を達成するため、本考案のクリスマスロープ電球は、前部電源プラグ、第１電源コード、後部電源ソケット、第２電源コード、変圧器及び若干数の電球を有する。該前部電源プラグにプラグハウジングと導電するため、導電端子ユニットを該プラグハウジングに取り付ける。該第１電源コードの一端は該導電端子ユニットと電気接続する。該後部電源ソケットはソケットハウジング及び該ソケットハウジングを導電のための導電受け台を有し、該導電受け台は該第１電源コードの他端と電気接続する。該後部ソケットのハウジングにソケット孔ユニットを形成し、外部プラグを挿入し、該導電ソケットと電気接続する。該第２電源コードの一端は該導電端子ユニットと電気接続する。該変圧器は該第２電源コードと電気接続する。該複数の電球は該第２電源コードと電気接続する。ただし、該変圧器は該前部電源プラグを離れておき、第２電源コードより導電端子ユニットに供給する電気は、該変圧器によって変圧した後、各電球に供給する。
【課題を解決するための手段】
【０００６】
請求項１の考案は、一種のクリスマスロープ電球において、以下の構成要素を備えた、
前部電源プラグ、プラグハウジング及び該プラグハウジングに挿入し、電気を導通する導電端子ユニットを有する、
第１電源コード、その一端は該導電端子ユニットと電気接続する、
後部電源ソケット、ソケットハウジング及び該ソケットハウジングに取り付けて導電する導電受け台を有し、該導電受け台は該第１電源コードの他端と電気接続する、該後部電源ソケットにソケット孔ユニットを設けて、外部のプラグを挿入し、該導電受け台と電気接続する、
第２電源コード、その一端は該導電端子ユニットと電気接続する、
変圧器、該第２電源コードと電気接続する、
若干数の電球、該第２電源コードと電気接続し、該変圧器を該前部電源プラグから離れておき、第２電源コードより導電端子ユニットに供給した電気は該変圧器によって降圧した後、各電球に供給ことを特徴とするクリスマスロープ電球としている。
請求項２の考案は、該プラグハウジングは絶縁部材を使用し、該導電端子ユニットは若干数の導電端子を使用する、それぞれの一端を該プラグハウジング内部に挿入し、該第１電源コードと電気接続し、他端は該プラグハウジング外部に露出しておき、外部電源と接続することを特徴とする請求項１記載のクリスマスロープ電球としている。
請求項３の考案は、該ソケットハウジングは絶縁部材を使用し、該導電受け台は導電部材を使用する、該ソケットハウジングの一端にソケット孔ユニットを設け、外部プラグを挿入し、該導電受け台と電気接続することを特徴とする請求項１記載のクリスマスロープ電球としている。
請求項４の考案は、該ソケット孔ユニットに若干数の挿入孔を有することを特徴とする請求項１記載のクリスマスロープ電球としている。
請求項５の考案は、該電球は並列方式により接続することを特徴とする請求項１記載のクリスマスロープ電球としている。
請求項６の考案は、該電球は直列方式により接続することを特徴とする請求項１記載のクリスマスロープ電球としている。
【考案の効果】
【０００７】
本考案のクリスマスロープ電球は導入電気の一部を降圧した後、各電球に提供及び発光させるほか、もう一部の電気を降圧しないまま、後部電源ソケットに接続した第２組のクリスマスロープ電球に供給することにより、同じ電源において、設置可能な電球の数及び長さを増やして、利用者の便利を向上する。
【考案を実施するための最良の形態】
【０００８】
本考案の構造及び特徴は、好ましい実施例を図式と併せて、以下の通り詳細説明する、
図１と図２は本考案の一実施例のクリスマスロープ電球１００である。主に前部電源プラグ１０、第１電源コード２０、後部電源ソケット３０、第２電源コード４０、変圧器５０及び若干数の電球６０より構成する。そのうち、該前部電源プラグ１０はプラグハウジング１１と導電端子ユニット１２を有する。該プラグハウジング１１は絶縁部材を使用し、該導電端子ユニット１２は導電部材を使用する。本実施例において、該導電端子ユニット１２は２枚の導電プレートを使用する。その一端に該プラグハウジング１１内部に取付け、他端は所定の形状を形成し、該プラグハウジング１１外部に露出する。本実施例における導電端子ユニット１２は２枚の導電プレートを使用する。ただし、必要に応じて、３枚の導電プレート又はその他プラグプレートの形を形成すれば良い。
【０００９】
該第１電源コード２０の一端は該前部電源プラグ１０内部の導電端子ユニット１２と電気接続し、該導電端子ユニット１２の電気を該第１電源コード２０に導通する。
該後部電源ソケット３０は、ソケットハウジング３１及び導電ソケット（図示しない）を有する。該ソケットハウジング３１は絶縁部材を使用し、該導電受け台は導電部材を使用し、該ソケットハウジング３１に設ける。該ソケットハウジング３１の一端にソケット孔ユニット３１１を設け、該第１電源コード２０の自由端を該ソケットハウジング３１の他端より該ソケットハウジング３１内部を通して、該導電受け台と電気接続する。該前部電源プラグ１０より導入する電気は該導電端子ユニット１２、第１電源コード２０を介して、該導電受け台に供給する。本実施例において、該ソケットハウジング３１のソケット孔ユニット３１１は二つのソケット孔を使用するが、その他国際で通用する規格を使用しても良い。
【００１０】
該第２電源コード４０の一端は、該前部電源プラグ１０の内部に挿入し、該導電端子ユニット１２と電気接続する。
該変圧器５０は該第２電源コード４０に設けて、該第２電源コード４０を流れる電圧を降圧する。
【００１１】
該電球６０は所定の形状により、該第２電源コード４０と電気接続する。該変圧器５０は該電球６０より該前部電源プラグ１０に近づけさせ、該前部電源プラグ１０より導入する電気は該変圧器５０によって降圧した上、該第２電源コード４０を介して、該電球６０に供給する。そのうち、該電球６０は必要に応じて、並列又は直列方式により、該第２電源コード４０と電気接続する。
【００１２】
図３に示す長い距離による設置は、２組のクリスマスロープ電球１００を以下の方法により接続する。
まず、第２組のクリスマスロープ電球１００’を用意し、第２組の前部電源プラグ１０’の導電端子ユニットを第１組の後部電源ソケット３０のソケット孔ユニット３１１に挿入することにより、第２組の導電端子ユニットと該第１組の導電受け台と電気接続して、第１組のクリスマスロープ電球１００と第２組のクリスマスロープ電球１００’と電気接続する。
【００１３】
第２組のクリスマスロープ電球１００’は第１組のクリスマスロープ電球１００の後部電源ソケット３０に挿入するため、２組のクリスマスロープ電球１００、１００’の長さが延長される。利用者の長い距離の使用に備える。
【００１４】
第１組の電球６０は変圧器５０により、１１０Ｖ又は２２０Ｖから２４Ｖに降圧した上、該第２電源コード５０を介して、各電球６０に電気供給しているため、各電球６０は過大電圧による焼損を防止する。一方、第２組のクリスマスロープ電球１００’の電気は、第１組のクリスマスロープ電球１００に備える第１電源コード２０より供給される。この電源は降圧されていないため、高い電圧（１１０Ｖ又は２２０Ｖ）を帯びる。よって、第２組のクリスマスロープ電球１００’の電球６０’は第２組のクリスマスロープ電球１００’に接続した変圧器５０’により降圧した後、電球６０’に供給し、発光させる。
【００１５】
本考案のクリスマスロープ電球は導入電気の一部を降圧した後、各電球に提供及び発光させるほか、もう一部の電気を降圧しないまま、後部電源ソケットに接続した第２組のクリスマスロープ電球に供給することにより、同じ電源において、設置可能な電球の数及び長さを増やして、利用者の便利を向上する。
図３に示すように、第３組のクリスマスロープ電球１００’又は第４組、第５組のクリスマスロープ電球を増設しても良い。
【図面の簡単な説明】
【００１６】
【図１】本考案の一実施例の立面概略図である。
【図２】本考案図１の好ましい実施例の側面概略図である。
【図３】本考案図１の好ましい実施例の使用態様図である。
【符号の説明】
【００１７】
１００、１００’、１００’  クリスマスロープ電球
１０、１０’  前部電源プラグ
１１  プラグハウジング
１２  導電端子ユニット
２０  第２電源ケーブル
３０  後部電源ソケット
３１  ソケットハウジング
３１１  ソケット孔ユニット
４０  第２電源ケーブル
５０、５０’  変圧器
６０、６０’  電球
【図１】
0003131571.tif 000003
【図２】
0003131571.tif 000004
【図３】
0003131571.tif 000005
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
前部電源プラグ、第１電源コード、後部電源ソケット、第２電源コード、変圧器及び若干数の電球を含み、
該前部電源プラグはプラグハウジング及び該プラグハウジングに挿入し、電気を導通する導電端子ユニットを有し、
該第１電源コードはその一端は該導電端子ユニットと電気接続し、
該後部電源ソケットはソケットハウジング及び該ソケットハウジングに取り付けて導電する導電受け台を有し、該導電受け台は該第１電源コードの他端と電気接続する、該後部電源ソケットにソケット孔ユニットを設けて、外部のプラグを挿入し、該導電受け台と電気接続し、
該第２電源コードはその一端は該導電端子ユニットと電気接続し、
該変圧器は該第２電源コードと電気接続し、
該若干数の電球は該第２電源コードと電気接続し、該変圧器を該前部電源プラグから離れておき、第２電源コードより導電端子ユニットに供給した電気は該変圧器によって降圧した後、各電球に供給することを特徴とするクリスマスロープ電球。
【請求項２】
該プラグハウジングは絶縁部材を使用し、該導電端子ユニットは若干数の導電端子を使用する、それぞれの一端を該プラグハウジング内部に挿入し、該第１電源コードと電気接続し、他端は該プラグハウジング外部に露出しておき、外部電源と接続することを特徴とする請求項１記載のクリスマスロープ電球。
【請求項３】
該ソケットハウジングは絶縁部材を使用し、該導電受け台は導電部材を使用する、該ソケットハウジングの一端にソケット孔ユニットを設け、外部プラグを挿入し、該導電受け台と電気接続することを特徴とする請求項１記載のクリスマスロープ電球。
【請求項４】
該ソケット孔ユニットに若干数の挿入孔を有することを特徴とする請求項１記載のクリスマスロープ電球。
【請求項５】
該電球は並列方式により接続することを特徴とする請求項１記載のクリスマスロープ電球。
【請求項６】
該電球は直列方式により接続することを特徴とする請求項１記載のクリスマスロープ電球。
【手続補正２】
【補正対象書類名】明細書
【補正対象項目名】０００６
【補正方法】変更
【補正の内容】
【０００６】
請求項１の考案は、前部電源プラグ、第１電源コード、後部電源ソケット、第２電源コード、変圧器及び若干数の電球を含み、
該前部電源プラグはプラグハウジング及び該プラグハウジングに挿入し、電気を導通する導電端子ユニットを有し、
該第１電源コードはその一端は該導電端子ユニットと電気接続し、
該後部電源ソケットはソケットハウジング及び該ソケットハウジングに取り付けて導電する導電受け台を有し、該導電受け台は該第１電源コードの他端と電気接続する、該後部電源ソケットにソケット孔ユニットを設けて、外部のプラグを挿入し、該導電受け台と電気接続し、
該第２電源コードはその一端は該導電端子ユニットと電気接続し、
該変圧器は該第２電源コードと電気接続し、
該若干数の電球は該第２電源コードと電気接続し、該変圧器を該前部電源プラグから離れておき、第２電源コードより導電端子ユニットに供給した電気は該変圧器によって降圧した後、各電球に供給することを特徴とするクリスマスロープ電球としている。
請求項２の考案は、該プラグハウジングは絶縁部材を使用し、該導電端子ユニットは若干数の導電端子を使用する、それぞれの一端を該プラグハウジング内部に挿入し、該第１電源コードと電気接続し、他端は該プラグハウジング外部に露出しておき、外部電源と接続することを特徴とする請求項１記載のクリスマスロープ電球としている。
請求項３の考案は、該ソケットハウジングは絶縁部材を使用し、該導電受け台は導電部材を使用する、該ソケットハウジングの一端にソケット孔ユニットを設け、外部プラグを挿入し、該導電受け台と電気接続することを特徴とする請求項１記載のクリスマスロープ電球としている。
請求項４の考案は、該ソケット孔ユニットに若干数の挿入孔を有することを特徴とする請求項１記載のクリスマスロープ電球としている。
請求項５の考案は、該電球は並列方式により接続することを特徴とする請求項１記載のクリスマスロープ電球としている。
請求項６の考案は、該電球は直列方式により接続することを特徴とする請求項１記載のクリスマスロープ電球としている。